(57)【要約】    【課題】  撮影場所、撮影状況に適した撮影条件での撮影を容易に行うことができる撮像装置を提供する。    【解決手段】  デジタルビデオカムコーダ１００は、外部機器からの赤外線受光を行う赤外線受光部１７よ、液晶パネル１４と、複数の撮影モードを切換える撮影モード切換えスイッチ２１とを備える。撮影モード切換えスイッチ２１は、外部通信を用いて受信した撮影情報に基づいて撮影条件を設定するモード（オートナビゲーションモード）を有している。撮影モード切換えスイッチ２１により、オートナビゲーションモードが選択された場合は、液晶パネル１４は、取得データの取得日、取得データのタイトル、実際の取得データ等を表示する。オートナビゲーションモードにあるデジタルビデオカムコーダＢが、マニュアルモードで撮影しているデジタルビデオカムコーダＡから、そのホワイトバランスやシャッタースピード等の撮影情報を赤外線通信によりに取得する。【選択図】      図６
2006074475.tif 000002
【特許請求の範囲】
【請求項１】
外部機器から赤外線又は無線通信により所定の撮影情報を受信する受信手段と、前記受信した撮影情報に基づいて撮影を行う撮影手段とを備えることを特徴とする撮像装置。
【請求項２】
前記所定の撮影情報は、焦点距離情報、シャッタースピード情報、及びプログラムＡＥ情報の少なくとも１つを含むことを特徴とする請求項１記載の撮像装置。
【請求項３】
前記プログラムＡＥ情報は、スポットライトモード情報を含むことを特徴とする請求項２記載の撮像装置。
【請求項４】
前記外部機器が他の撮像装置であり、前記受信手段は赤外線通信手段から成ることを特徴とする請求項１乃至３のいずれか１項に記載の撮像装置。
【請求項５】
前記外部機器が所定の場所にある撮影情報発信機であり、前記受信手段は無線通信手段から成ることを特徴とする請求項１乃至４のいずれか１項に記載の撮像装置。
【請求項６】
前記撮影情報発信機より撮影情報が発信されていることを検知する検知手段を有することを特徴とする請求項５に記載の撮像装置。
【請求項７】
前記撮影手段は、前記受信した撮影情報に基づいて撮影する第１の撮影モードと、それ以外の第２の撮影モードとで前記撮影を行い、且つ前記撮像装置は、前記第１の撮影モードと前記第２の撮影モードとを切換える切換え手段を備えることを特徴とする請求項１乃至６のいずれか１項に記載の撮像装置。
【請求項８】
前記受信した撮影情報を表示する表示手段と、前記受信した撮影情報を格納手段に書き込む書き込み手段と、前記前記格納手段に格納された撮影情報から任意の撮影情報を選択する選択手段とを備えることを特徴とする請求項１乃至７のいずれか１項に記載の撮像装置。
【請求項９】
前記書き込み手段は、前記受信した撮影情報を前記格納手段とは異なる二次記憶手段に格納することを特徴とする請求項８に記載の撮像装置。
【請求項１０】
前記受信手段を受信状態にするか否かを切換える他の切換え手段を備えることを特徴とする請求項１乃至９のいずれか１項に記載の撮像装置。
【請求項１１】
前記受信した撮影条件に新たに情報を付加する情報付加手段を備えることを特徴とする請求項１乃至１０のいずれか１項に記載の撮像装置。
【発明の詳細な説明】
【技術分野】
【０００１】
本発明は撮像装置に関する。
【背景技術】
【０００２】
従来のデジタルビデオカムコーダやデジタルスチルカメラ等の撮像装置として、撮影時に必要なシャッタースピードやホワイトバランス等の撮影条件を、撮像装置が自動的に設定するオートモードと、ユーザーがマニュアル操作で設定するマニュアルモードとを有するばかりでなく、記憶容量の大きな外部機器に撮影情報を記憶させておき、これらの撮影情報を取得してこれに基づいて撮影条件を設定するモードを有するものがある（例えば、特許文献１参照）。
【０００３】
具体的には、パーソナルコンピュータに複数の画像データを記憶させておき、カメラをパーソナルコンピュータに接続することによりパーソナルコンピュータのアプリケーションを立ち上げ、パーソナルコンピュータ内に記憶された複数の画像データから１つの画像データを選択すると、パーソナルコンピュータは、選択された画像データに対応する画像を撮影するための絞りやシャッタ速度等の撮影情報をカメラに送信し、これにより、カメラに撮影条件が設定される。
【特許文献１】特開２０００−０３２３２１号公報
【発明の開示】
【発明が解決しようとする課題】
【０００４】
しかしながら、上記従来の撮像装置では、カメラの撮像条件をパーソナルコンピュータ側のアプリケーションを用いて選択するので、ユーザがパーソナルコンピュータを操作する必要があり、ユーザがパーソナルコンピュータを操作できない外出先等では、この機能を利用することができない。
【０００５】
本発明の目的は、撮影場所や撮影状況に適した撮影条件での撮影を容易に行うことができる撮像装置を提供することにある。
【課題を解決するための手段】
【０００６】
上記目的を達成するために、請求項１記載の撮像装置は、外部機器から赤外線又は無線通信により撮影情報を受信する受信手段と、前記受信した所定の撮影情報に基づいて撮影を行う撮影手段とを備えることを特徴とする。
【０００７】
請求項２記載の撮像装置は、請求項１記載の撮像装置において、前記所定の撮影情報は、焦点距離情報、シャッタースピード情報、及びプログラムＡＥ情報の少なくとも１つを含むことを特徴とする。
【０００８】
請求項３記載の撮像装置は、請求項２記載の撮像装置において、前記プログラムＡＥ情報は、スポットライトモード情報を含むことを特徴とする。
【０００９】
請求項４記載の撮像装置は、請求項１乃至３のいずれか１項に記載の撮像装置において、前記外部機器が他の撮像装置であり、前記受信手段は赤外線通信手段から成ることを特徴とする。
【００１０】
請求項５記載の撮像装置は、請求項１乃至４のいずれか１項に記載の撮像装置において、前記外部機器が所定の場所にある撮影情報発信機であり、前記受信手段は無線通信手段から成ることを特徴とする。
【００１１】
請求項６に記載の撮像装置は、請求項５に記載の撮像装置において、前記撮影情報発信機より撮影情報が発信されていることを検知する検知手段を有することを特徴とする。
【００１２】
請求項７記載の撮像装置は、請求項１乃至６のいずれか１項に記載の撮像装置において、前記撮影手段は、前記受信した撮影情報に基づいて撮影する第１の撮影モードと、それ以外の第２の撮影モードとで前記撮影を行い、且つ前記撮像装置は、前記第１の撮影モードと前記第２の撮影モードとを切換える切換え手段を備えることを特徴とする。
【００１３】
請求項８記載の撮像装置は、請求項１乃至７のいずれか１項に記載の撮像装置において、前記受信した撮影情報を表示する表示手段と、前記受信した撮影情報を格納手段に書き込む書き込み手段と、前記前記格納手段に格納された撮影情報から任意の撮影情報を選択する選択手段とを備えることを特徴とする。
【００１４】
請求項９記載の撮像装置は、請求項８記載の撮像装置において、前記書き込み手段は、前記受信した撮影情報を前記格納手段とは異なる二次記憶手段に格納することを特徴とする。
【００１５】
請求項１０記載の撮像装置は、請求項１乃至９のいずれか１項に記載の撮像装置において、前記受信手段を受信状態にするか否かを切換える他の切換え手段を備えることを特徴とする。
【００１６】
請求項１１記載の撮像装置は、請求項１乃至１０のいずれか１項に記載の撮像装置において、前記受信した撮影情報に新たに情報を付加する情報付加手段を備えることを特徴とする
【発明の効果】
【００１７】
請求項１記載の撮像装置によれば、外部機器から赤外線又は無線通信により受信した所定の撮影情報に基づいて撮影を行うので、ユーザは外部機器を操作することなく撮影情報を設定することができ、もって撮影場所や撮影状況に適した撮影情報での撮影を容易に行うことができる。
【００１８】
請求項４記載の撮像装置によれば、外部機器が他の撮像装置であり、受信手段が赤外線通信手段から成るので、他の撮像装置から撮影情報を取得することができる。
【００１９】
請求項５記載の撮像装置によれば、外部機器が所定の場所にある撮影情報発信機であり、受信手段が無線通信手段から成るので、所定の場所においてその場所に適した撮影情報を取得することができる。
【００２０】
請求項１１記載の撮影装置によれば、受信した撮影情報に新たに情報を付加するので、新たに付加した情報に基づいて撮影情報をより適したものにすることができる。
【発明を実施するための最良の形態】
【００２１】
以下、本発明の実施の形態を図面を参照しながら詳述する。
【００２２】
図１は、本発明の実施の形態に係る撮像装置の内部構成を概略的に示すブロック図である。
【００２３】
図１のデジタルビデオカムコーダ１００は、被写体を撮影すると共にその映像信号を生成するカメラ部１（撮影手段）と、カメラ部１から供給される映像信号を記録／再生するレコーダ部２と、カメラ部１からレコーダ部２を介して供給される映像信号を表示する映像表示部３と、撮影情報を外部から取得する外部通信部４と、撮影モードの切換えを行う撮影モード選択部５と、カメラ部１、レコーダ部２、映像表示部３、外部通信部４、及び意撮影モード選択部５を制御するシステム制御部６と、電源部７とから成る。
【００２４】
カメラ部１は、光学像を結像する撮影レンズ８と、結像された光学像の光量を調節するオートアイリス９と、オートアイリス９により光量調整された光学像を電気信号に変換する撮像素子（ＣＣＤ）１０と、撮像素子１０の出力画像信号を二重相関サンプリングし、利得を自動調整し、その出力にγ補正、色バランス調整及び輝度／色差変換等の周知の処理を施してレコーダ部２に供給するカメラ信号処理回路１１とから成る。
【００２５】
レコーダ部２は、ＶＴＲ信号処理回路１２と、記録再生回路１３とから成り、アナログ方式で有るかデジタル方式であるかを問わない。ＶＴＲ信号処理回路１２は、カメラ部１のカメラ信号処理回路１１からの映像信号にＶＴＲ信号処理を施した上で記録再生回路１３及び映像表示部３に供給する。記録再生回路１３は、記録モードでは、ＶＴＲ信号処理回路１２からの映像信号を記録媒体に記録し、再生モードでは、記録媒体から記録信号を再生して、この再生映像信号を表示部３に供給する。
【００２６】
表示部３は、液晶表示パネル１４と、液晶表示パネル１４を背面から照明する照明光源１５と、液晶表示パネル１４及び照明光源１５を駆動する駆動回路１６とから成る。液晶表示パネル１４は、アスペクト比３：４の通常画面だけではなく、アスペクト比１６：９のワイド画面にも対応可能である。また、液晶表示パネル１４は、単純マトリクスのＴＮ液晶、ＳＴＮ液晶、ＦＬＣ（強誘電性液晶）、アクティブ・マトリクスのＭＩＭ、アモーファスＳｉ−ＴＦＴ、高温多結晶Ｓｉ−ＴＦＴ及び低温多結晶Ｓｉ−ＴＦＴ等のどれであってもよい。
【００２７】
外部通信部４は、外部機器からの赤外線受光を行う赤外線受光部１７（受信手段）と、赤外線受光部１７で受けた受信データを復号化してシステム制御部６へ伝達する復号化部２０と、システム制御部６から伝達される送信データを符号化する符号化部１９と、符号化された送信データの外部機器への赤外線発光を行う赤外線発光部１８とを備える。赤外線受光部１７は、外部機器からの無線通信の受信を行う無線受信部に置き換えることができ、赤外線発光部１８は、外部機器へ無線通信の発信を行う無線発信部に置き換えることができる。
【００２８】
撮影モード選択部５は、後述する複数の撮影モードを切換える撮影モード切換えスイッチ２１（切換え手段）を備える。撮影モード切換えスイッチ２１によって選択された撮影モード情報はシステム制御部６へ伝達される。
【００２９】
システム制御部６は、マイクロコンピュータ２２によりカメラ部１、レコーダ部２、表示部３、外部通信部４、及び撮影モード選択部５を制御する。また、システム制御部６はメモリー２３（格納手段）を備え外部通信部４によって取得した撮影情報を保持する役割を持つ。
【００３０】
電源部７はバッテリーパック２５から供給される電圧を電源２４で昇圧及び降圧し各ブロックの要求に応じた電圧を供給する。
【００３１】
図２は、図１のデジタルビデオカムコーダ１００を背面側からみた斜視図であり、撮影モード切換えスイッチを拡大して示す。
【００３２】
図２において、デジタルビデオカムコーダ１００は、背面に、赤外線受光部１７、赤外線発光部１８、及び撮影モード切換えスイッチ２１を有する。
【００３３】
赤外線受光部１７は、外部機器から図３に示す撮影情報を取得することができる。即ち、取得することができる撮影情報は、図３に示すように、カメラ情報としては、シャッタースピード情報、ホワイトバランス情報、スポットライトモードやスポーツモード等を選択できるプログラムＡＥ情報及びフラッシュレベル情報であり、オーディオ情報としては、オーディオ記録レート情報、ウィンドウカットＯＮ／ＯＦＦ情報である。
【００３４】
撮影モード切換えスイッチ２１は、動作を行わないＯＦＦモード、記録テープの再生を行うＶＴＲモード、デジタルビデオカムコーダ１００が自動的に撮影条件を設定するモード（オートモード）、ユーザーがマニュアル操作で撮影条件を設定するモード（マニュアルモード）、外部通信を用いて受信した撮影情報に基づいて撮影条件を設定するモード（オートナビゲーションモード）を有しており、選択されたスイッチ情報は、システム制御部６に伝達される。
【００３５】
撮影モード切換えスイッチ２１により、オートナビゲーションモードが選択された場合は、液晶パネル１４は、図４に示すように、取得データの取得日、取得データのタイトル、実際の取得データ等を表示する。この場合において、液晶パネル１４は、メモリー２３が外部通信により複数の撮影情報を保持しているときに、図５に示すように、ユーザーに取得データのタイトル及び取得日時、又は後述する図１０の処理におけるＧＰＳによる測位データを取得することにより、取得場所を表示する。
【００３６】
ユーザーは、上記画面表示情報から自分が使用する撮影情報を選択的に取得し（選択手段）、これらの取得した撮影情報に基づいて撮影条件を設定した上で撮影を行うことができる。
【００３７】
図６は、図１のデジタルビデオカムコーダによって実行される第１の撮影情報取得処理の手順を示すフローチャートである。
【００３８】
本処理は、オートナビゲーションモードにあるデジタルビデオカムコーダＢが、マニュアルモードで撮影しているデジタルビデオカムコーダＡから、そのホワイトバランスやシャッタースピード等の撮影情報を赤外線通信によりに取得するものである（図７）。デジタルビデオカムコーダＢは、デジタルビデオカムコーダＡからの赤外線発光を赤外線受光部１７で受光して復号化し、復号化された撮影情報に基づいて撮影条件をカメラ部１に設定することによりデジタルビデオカムコーダＡと同条件で撮影することができる。
【００３９】
図６において、撮影モード切換えスイッチ２１をオートナビゲーションモードに設定して赤外線受信状態にし（ステップＳ１０１）（他の切換え手段）、赤外線受光部１７が赤外線を検知すると（ステップＳ１０２でＹＥＳ）、応答信号を送信側に発光し（ステップＳ１０３）、システム制御部６が通信時間計測のためカウンター計時を開始する（ステップＳ１０４）。
【００４０】
次いで、撮影情報の受信が完了したか否かを判別し（ステップＳ１０５）、撮影情報の受信が完了したときは、カウンター計時を停止し（ステップＳ１０６）、シャッタースピードやホワイトバランス、プログラムＡＥといった撮影情報をメモリー２３に一時格納し（ステップＳ１０７）（書き込み手段）、赤外線通信を切断して（ステップＳ１０８）、受信情報を映像表示部３に表示する（ステップＳ１０９）。ステップＳ１０７において、撮影情報をメモリー２３以外の二次記憶手段に格納してもよい。
【００４１】
次に、表示された情報をメモリー２３にそのまま保持するか否かを判別し（ステップＳ１１０）、メモリー２３にそのまま保持するときは、受信情報のタイトルを編集する処理に移行し（ステップＳ１１１）、タイトルが設定された情報をメモリー２３に再格納した（ステップＳ１１２）後、一方、メモリー２３に保持しないときは、取得した撮影情報をクリアーした（ステップＳ１１５）後、本処理を終了する。
【００４２】
ステップＳ１０５の判別の結果、撮影情報の受信が完了していないときは、所定時間経過後（ステップＳ１１３でＹＥＳ）、カウンター情報により赤外線通信を強制的に切断して（ステップＳ１１４）、本処理を終了する。
【００４３】
図６の処理によれば、オートナビゲーションモードにあるデジタルビデオカムコーダＢが、マニュアルモードで撮影しているデジタルビデオカムコーダＡから、そのホワイトバランスやシャッタースピード等の撮影情報を赤外線通信によりに取得する（ステップＳ１０２）ので、撮影場所や撮影状況に適した撮影条件での撮影を容易に行うことができる。
【００４４】
図８は、図１のデジタルビデオカムコーダ１００によって実行される第２の撮影情報取得処理の手順を示すフローチャートである。
【００４５】
本処理は、オートナビゲーションモードにあるデジタルビデオカムコーダが、特定の場所にある建物内に設置された撮影情報発信機が発信したその場所を撮影するのに適した撮影情報を無線通信により取得するものである（図９）。この場合、デジタルビデオカメラ１００は、赤外線受光部１７に代えて無線受信部を有し、赤外線発光部１８に代えて無線発信部を有する。デジタルビデオカムコーダは、無線通信を無線受信部で受信して復号化し、復号化された撮影情報に基づいて撮影条件をカメラ部１に設定することにより建物内に適した撮影条件の撮影を容易に行うことができる。
【００４６】
図８において、撮影モード切換えスイッチ２１をオートナビゲーションモードに設定して無線受信状態にし（ステップＳ２０１）（他の切換え手段）、無線受信部が無線通信を検知すると（ステップＳ２０２でＹＥＳ）、システム制御部６が通信時間計測のためカウンター計時を開始する（ステップＳ２０３）。
【００４７】
次いで、撮影情報の受信が完了したか否かを判別し（ステップＳ２０４）、撮影情報の受信が完了したときは、カウンター計時を停止し（ステップＳ２０５）、シャッタースピードやホワイトバランス、プログラムＡＥといった撮影情報をメモリー２３に一時格納し（ステップＳ２０６）（書き込み手段）、受信情報を映像表示部３に表示する（ステップＳ２０７）。ステップＳ２０６において、撮影情報をメモリー２３以外の二次記憶手段に格納してもよい。
【００４８】
次に、表示された情報をメモリー２３にそのまま保持するか否かを判別し（ステップＳ２０８）、メモリー２３にそのまま保持するときは、受信情報のタイトルを編集する処理に移行し（ステップＳ２０９）、タイトルが設定された情報をメモリー２３に再格納した（ステップＳ２１０）後、一方、メモリー２３に保持しないときは、取得した撮影情報をクリアーした（ステップＳ２１３）後、本処理を終了する。
【００４９】
ステップＳ２０４の判別の結果、撮影情報の受信が完了していないときは、所定時間経過後（ステップＳ２１１でＹＥＳ）、カウンター情報により赤外線通信を強制的に切断して（ステップＳ２１２）、本処理を終了する。
【００５０】
図８の処理によれば、オートナビゲーションモードにあるデジタルビデオカムコーダが、特定の場所にある建物内に設置された撮影情報発信機が発信したその場所を撮影するのに適した撮影情報を無線通信により取得する（ステップＳ２０２）ので、建物内に適した撮影条件の９撮影を容易に行うことができる。
【００５１】
また、デジタルビデオカムコーダがオートナビゲーションモードに設定されていない場合（例えばオートモードに設定されている場合）に、撮影情報発信機が撮影情報を発信していることを検知してその旨を報知する機能を備えれば、使用者がデジタルビデオカムコーダをオートモードに設定した状態であっても、無線通信により撮影情報を取得できる場所であるか否かを使用者が容易に判断し、オートナビゲーションモードに切換えるか否かを自由に選択することができる。あるいは、デジタルビデオカムコーダが、撮影情報発信機が撮影情報を発信していることを検知すると自動的にオートナビゲーションモードに切換える機能を備えても良い。
【００５２】
図１０は、図１のデジタルビデオカムコーダ１００によって実行される測位データ付加処理の手順を示すフローチャートである。
【００５３】
本処理は、ＧＰＳ受信装置を有するデジタルビデオカムコーダが、図６及び図８の処理によって取得された撮影情報にＧＰＳによる測位データを付加するものである。
【００５４】
図１０において、図６及び図８の処理によって取得された撮影情報を映像表示部３に表示し（ステップＳ３０１）、ＧＰＳによる測位データを受信する（ステップＳ３０２）。
【００５５】
次いで、表示されている撮影情報に測位データを付加するか否かを判別し（ステップＳ３０３）、測位データを付加するときは、システム制御部６で測位データを付加した（ステップＳ３０４（情報付加手段）後、測位データを付加しないときは、直ちに、付加が完了した撮影情報をメモリー２３に再格納して（ステップＳ３０５）、本処理を終了する。
【００５６】
図１０の処理によれば、取得された撮影情報にＧＰＳによる測位データを付加する（ステップＳ３０４）ので、撮影場所に応じた撮影情報をより細かく保持することでき、また、一度撮影オートナビゲーションモードにより撮影情報を取得して撮影したことのある場所で再び撮影をする場合も、撮影する場所の測位データと以前取得した撮影情報の測位データを比較することにより、再度の撮影条件取得作業をすることなく、撮影することができる。
【００５７】
上記構成において、例えば、緯度や経度に応じた撮影情報をサーバに記憶させ、デジタルビデオカムコーダがＧＰＳの測位データに応じてサーバから撮影情報を取得するようにしてもよい。
【００５８】
上記実施の形態では、撮像装置１００は、赤外線受光部１７及び赤外線受光部１８と、無線受信部及び無線発信部とを択一的に有しているが、双方を備えた上で、近辺に同様なデジタルビデオカムコーダを有する別なユーザがいて、そのユーザがデジタルビデオカムコーダの撮影情報を送信している場合は、上記図６の処理を実行し、近辺に同様なデジタルビデオカムコーダを有する別なユーザがおらず、その場所の近辺に撮影情報を発信する発信機が存在する場合は、上記図８の処理を実行するようにしてもよい。
【００５９】
前者の場合は、予め送信側との間で特定の認識コードを設定しておけば、不用意に別のユーザの撮影情報を受信するのを防止することができる。後者の場合、例えば、サッカースタジアムにおいて、そのスタジアムに設置された発信機から撮影情報を受信すれば、サッカーの試合を撮影するために適切な撮影情報を自動的に設定することができる。
【図面の簡単な説明】
【００６０】
【図１】本発明の実施の形態に係る撮像装置の内部構成を概略的に示すブロック図である。
【図２】図１のデジタルビデオカムコーダを背面側からみた斜視図であり、撮影モード切換えスイッチを拡大して示す。
【図３】図２における赤外線受光部が取得する撮影情報を説明するのみ用いられる図である。
【図４】図１における撮影モード切換えスイッチによってオートナビゲーションが選択された場合の液晶パネルの表示内容を説明するのみ用いられる図である。
【図５】図１における撮影モード切換えスイッチによってオートナビゲーションが選択された場合の液晶パネルの他の表示内容を説明するのみ用いられる図である。
【図６】図１のデジタルビデオカムコーダによって実行される第１の撮影情報取得処理の手順を示すフローチャートである。
【図７】図１のデジタルビデオカムコーダが第１の撮影情報取得処理を実行する態様を説明するのに用いられる図である。
【図８】図１のデジタルビデオカムコーダによって実行される第２の撮影情報取得処理の手順を示すフローチャートである。
【図９】図１のデジタルビデオカムコーダが第２の撮影情報取得処理を実行する態様を説明するのに用いられる図である。
【図１０】図１のデジタルビデオカムコーダ１００によって実行される測位データ付加処理の手順を示すフローチャートである。
【符号の説明】
【００６１】
１  カメラ部
２  レコーダ部
３  映像表示部
４  外部通信部
５  撮影モード選択部
６  システム制御部
１１  カメラ信号処理回路
１２  ＶＴＲ信号処理
１３  記録再生回路
１４  液晶パネル
１７  赤外線受光部
１８  赤外線発光部
２１  撮影モード切換えスイッチ
２３  メモリー
【図１】
2006074475.tif 000003
【図２】
2006074475.tif 000004
【図３】
2006074475.tif 000005
【図４】
2006074475.tif 000006
【図５】
2006074475.tif 000007
【図６】
2006074475.tif 000008
【図７】
2006074475.tif 000009
【図８】
2006074475.tif 000010
【図９】
2006074475.tif 000011
【図１０】
2006074475.tif 000012